(57)【要約】      （修正有）【課題】強靭でクッション性が優れヘタリの少ない、且つ目先の変わった見栄えの良いロープにする事。【解決手段】釣り用クッションゴムＡ等に使用可能な、伸び易く、しかも曲がり易い物性をもっている紐状物でなる天然ゴム系或いは、合成ゴム系シリコンゴム又は熱可塑性エラストマー等を芯部１とし、それらの外周に沿うって熱可塑性ポリウレタンエラストマー系樹脂成形でなる被覆層２を一体化構成にした２重複合ロープとする。また前記する芯部１或いは被覆層２に蓄光剤ａや着色剤ｂを必要に応じて、混合した構成での２重複合ロープにする。【選択図】図１
0003136318.tif 000002
【実用新案登録請求の範囲】
【請求項１】
釣り用クッションゴム（Ａ）等に使用可能な、伸び易く、しかも曲がり易い物性をもっている紐状物でなる天然ゴム系或いは、合成ゴム系シリコンゴム又は熱可塑性エラストマー等を芯部（１）とし、それらの外周に沿うって熱可塑性ポリウレタンエラストマー系樹脂成形でなる被覆層（２）を一体化構成にした事を特徴とする２重複合ロープ。
【請求項２】
前記する芯部（１）或いは被覆層（２）に蓄光剤（ａ）や着色剤（ｂ）を必要に応じて、混合したことを特徴とする請求項１記載の２重複合ロープ。
【請求項３】
前記する芯部（１）を数本並べ、平行線（３）にし、これらに被覆層（２）を一体化構成での紐状物にしたことを特徴とする請求項１又は２項記載の２重複合ロープ。
【考案の詳細な説明】
【技術分野】
【０００１】  この考案は、軟質で伸縮自在なクッション材でなる２重複合ロープの改良に関し、詳しくは、例えばこれらを、釣糸用接続具（クッションゴム）等に適用するのに最適な形態を具備出来る、切れ難く、程ほどの伸びで、目先の変わった見栄えの良いクッションゴムに関し、更に牽引ロープ、安全ロープ、荷造り用ロープ、更にはＯリング等にと多くの用具に使用出来る２重複合ロープ状物に関する。
【背景技術】
【０００２】  この種の従来の技術として、特許出願番号２００４−３００７３２で開示される、発明の名称２重複合クッションが、最も近い技術で知られ、これらはポリウレタンエラストマーでなる丸状線材の芯部の外周に同じ材質でのポリウレタンエラストマーを使っての表層部とで構成し、伸びが良く切れ難い強靭な釣り用のクッションゴムに利用され、即ち釣り竿に吊るされる道糸側と釣り針に接続するハリスとの間に介在し、魚を釣り上げる際のショックを緩和し、ハリスの合わせ切れを防ぎ、或いは魚が釣り針にかかった際の急激な引っ張りでの魚の口切れを防ぐ等の効果を狙っての実施例が開示されている。【０００３】  そして、これらの釣り用のクッションゴムは、芯部は表層部より硬度を上げ強くし、且つ伸び易い条件にし、引っ張りによる芯部の切断が表層部の切断後に遅延する等の実施例をあげている。
【考案の開示】
【考案が解決しようとす課題】
【０００４】  しかしながら上記する従来技術の場合は、芯部と其の外周に２重成形で一体化する表層部は同じ材質からなる構成のため、双方の材質が同じレベルの溶解温度によることで、芯部に表層部を２重成形で一体化するのに、熱溶着での境界面の組成が崩れ脆くなったり、或いは線の太さを限りなく細くするに従って芯部は２重成形時に融解してしまう等で細いクッションゴムに難があり、且つ双方が同じレベルの伸び率材質のため、使用時の繰り返し伸縮で双方が同時にヘタルなどで、２重複合一体化の効果が比較的低いなどの課題が残る。
【０００５】  また双方の一体化は、芯部の太さに表層部が巻装される、ムク体の芯部とチュウブ体の表層部の組み合わせ一体化の為、太さを限りなく細くするのに難があり、釣り用のクッションゴムに要求される、極力クッションゴムの太さを細くし、細いながら強靭でショックに強く、且つ硬いながら弱い力で程ほどに伸びることで、魚の僅かなアタリを感知し、細いことで魚に恐怖感を与えず、細いことで海中での流れに同調し、違和感の無い理想的なクッションゴムに構成するのに難がある等の課題が有る。
【課題を解決するための手段】
【０００６】  この考案はかかる課題を解決するために、請求項１での考案は図１と図２で述べるように、釣り用クッションゴムＡ等に使用可能な、伸び易く、しかも曲がり易い物性を持っている紐状物でなる天然ゴム系或いは、合成ゴム系シリコンゴム又は熱可塑性エラストマー等を芯部とし、それらの外周に沿うって熱可塑性ポリウレタンエラストマー系成形でなる被覆層２を一体化でなる２重複合ロープ構成とする。
【０００７】  次ぎに請求項２での考案を図３で述べるように、前記する芯部１或いは被覆部２に蓄光剤ａや着色剤ｂを必要に応じて、混合しての２重複合のロープ構成とする。
【０００８】  次ぎにまた芯部１を数本並べ、平行線３にし、これらに被覆層２を一体化構成での紐状物でなる２重複合ロープ構成とする。
【考案の効果】
【０００９】  本考案は、上述の通り構成作用するので次ぎの優れた効果を奏する。
即ち、請求項１での効果は、双方の材質を異質にすることで、双方の物理特性を充分に発揮出来る必要条件を任意選択構成が出来、様様な用具即ち、牽引ロープや安全ロープや荷造り用ロープやＯリング等に使う最適な２重複合ロープを提供出来る。
【００１０】  例えば、釣り用クッションゴム対応の場合は、極端に細いクッションゴムで、ほどほどの伸び縮みで、且つ強靭にすることで、微弱なアタリの小物魚から大物魚の強烈なショックに絶える強靭な、２重複合ロープを提供出来る。
【００１１】  次ぎに請求項２での効果は、芯部の素材に着色剤を混合し、被覆層は透過性の優れた材質にすることで、キラキラ光るカラフルで見栄えの良い、且つ目先の変わった２重複合ロープを提供出来る。更にまた、芯部或いは被覆層素材に蓄光剤を混合することで、暗がりで視認性の高い安全確認の出来る２重複合ロープを提供出来る。
【００１２】  次ぎに請求項３での効果は、芯部を複数の結束平行単線にすることで、強靭で伸縮自在でヘタリの少ない太目の２重複合ロープを提供出来る。
【考案を実施するための最良な形態】
【００１３】  以下に図示の実施例に基づいて本考案を更に詳細に説明するに、図１は本考案での第一実施例に基づく一部断面での斜視図で、図２は本考案２重複合ロープ使用例での全体斜視図で、これらは紐状で伸び易く、しかも曲がり易い物性での天然や合成でのゴム系又は熱可塑性エラストマー等の材質を芯部１とし、その外周を異質の材質でなる熱可塑性ポリウレタンエラストマー系樹脂で巻き装した被覆層２でなる２重成形で一体化構成し、双方の材質は必要に応じ、物性条件を任意に選択し、物理特性即ち、伸び率、引張強度、硬度、繰り返し疲労、耐侯性等を最適なグレートで組み合わせることで、ムク材での熱可塑性ポリウレタンエラストマー単線では得る事の出来ない特性を商品に対応可能にした。
【００１４】  例えば図２は本考案での第一実施例での釣り用クッションゴムＡに適応しての全体斜視図で、これらの用具に要求される最適な特性は、最も細い素材径での所定の長さでなる芯部１の両サイドにサルカンＢが、ループ部２ａ状の溶着部２ｂを介し接続され、それらの夫々のサルカンに道糸Ｃとハリスが接続され、これらを使って魚のアタリを釣り人が感知し、或いは釣り針に食い付いた魚の急激な引きでショックを吸収するのに有効に働く為、小魚の微弱なアタリで伸びるよう、伸び率の良い、更に大物魚の強烈なショックに耐える強度と、繰り返し伸縮で疲労の少ない特性を最も細い紐状物に求められる。
【００１５】  即ち釣り用クッションゴムＡは細いほど其れが受ける海中での水抵抗や水圧が少なく、海面から魚生息するタナまでの沈むスピードが早く、更に水中での柔らかい動きが、魚に与える恐怖芯を無くす等で釣果に貢献する事が知られる。即ちこれらのクッションゴムＡへの要求スペックをクリアーする為、、芯部１の材質を最も細い伸びの良いゴム材にし、被覆層２の材質は伸び難い強いポリウレタンエラストマー構成にするが、複合するクッションゴムの太さを極細くする為に、例えばチュウブ状の被覆層２の肉厚を０、４ｍｍにし芯部１を直径０，５ｍｍにする事でクッションゴムの直径が１、３ｍｍで、ムクの熱可塑性ポリウレタンエラストマーの限界とする成形技術、直径１，３ｍｍと同等で本考案は、芯部１と被覆層２との双方の引っ張り強さが合算される事で、ムク材の破断強度に比較し約４０〜６０％強靭な強度に改善され、伸び率は約５〜１０％低下での破断時の跳ね返り危険を少なくし、又ヘタリの少ない釣り用クッションゴムＡを具現化し、更には従来のクッションゴムで引っ張りで最も切れ易い部位であるサルカンＢのループ部２ａの溶着部２ｂは芯部１の物性が熱溶着での加熱で、組成の崩れが無い構成にする事で、優れた釣り用クッションゴムＡを可能にしている。
【００１６】  次ぎに図３は本考案での第二実施例を示す一部断面での斜視図で、前記する芯部１或いは被覆層２に蓄光剤ａを混合したり、又は其れに変わって着色剤ｂを混合する構成である。これらの混合は、目先の変わった商品に役立つ、即ち蓄光剤を所定の分量を混入する事で、暗がりでのロープの視認性を高めることで、ペット用のループや、サーフボードやボディーボード部位の一部と身体の一部を繋ぐ安全ロープや鮎釣りでの強流での安全ロープ等に対応する強靭で適度な伸び縮みのする安全ロープにする事で、利用者は急激な動きのショックを吸収している。更には芯部１の材質に着色剤を適度に混合し、カラフルな２重複合ロープを安全ロープ等に使い、芯部１の色合いが無色透明な被覆層２の乱反射で装飾での安全ロープとするのに最適構成である。
【００１７】  次ぎに図４は本考案での第四実施例での一部断面での斜視図で、ムク材紐状でなる芯部１を２本或いは数本揃えて接合する平行線３に並べ、これらの外周に沿おって被覆層２で包み込む２重成形での構成は、強靭でクッション性のある２重複合ロープにするのに最適な形態とするのに良い。
【００１８】  このようにこれらのロープ体はバラエティーに富んだ用具に対応する為、双方の材質と其のグレートを必要に応じて選択するが、例えば双方の断面積に格差を付けて、芯部１の断面積を被覆層２の断面積より大きくすることで、引っ張り強度は芯部１が上回り、被覆層２が先行して破断し、芯部１は破断する事無く、ロープの寿命を予測することの出来る等の構成も容易に選択出来る。いわゆる双方の材質の物理特性とグレートをフルに活用する事で、本考案での２重複合ロープは様様な新しい機能を付加したロープ体を具現化出来る。
【図面の簡単な説明】
【００１９】
【図１】    本考案に係わる第一実施例での一部断面での斜視図である。
【図２】    本考案に係わる第一実施例の使用例での釣り用クッションゴムの斜視図である。
【図３】    本考案に係わる第二実施例での一部断面での斜視図である。
【図４】    本考案に係わる第三実施例での一部断面での奢侈図である．
【符合の説明】
Ａ      釣り用クッションゴム
Ｂ      サルカン
Ｃ      道糸
ａ      蓄光剤
ｂ      着色剤
１      芯部
２      被覆層
２ａ    ループ部
２ｂ    溶着部
３      平行線
【図１】
0003136318.tif 000003
【図２】
0003136318.tif 000004
【図３】
0003136318.tif 000005
【図４】
0003136318.tif 000006